(57)【要約】  誘導性小型構造部品、特にアンテナに関する。この構造部品は、平坦な構造部分として形成された巻線本体部（１）を備えており、この巻線本体部上には、三つのコイル巻線（２Ｘ，２Ｙ，２Ｚ）が、これらのコイル巻線の軸が三つの空間方向（Ｘ，Ｙ，Ｚ）を指し示す形で取り付けられている。巻線本体部（１）は、少なくとも部分的にフェライト材料から構成されており、その下側と上側には、第三のコイル巻線を引き回すための案内部材（１．５，１．６，１．７，１．８）を有する。巻線本体部（１）は、電気を通さない非強磁性の材料から成るコイル板（３）上に載せられて、この板と連結される。コイル板（３）は、巻線本体部（１）の下側に配置された案内部材と嵌合する切り欠きを有する。第一と第二のコイル巻線（２Ｘ，２Ｙ）の巻線端部は、それぞれ巻線本体部の下側に配置された案内部材の周りに巻き付けられる。第三のコイル巻線（２Ｚ）の巻線端部は、それぞれコイル板（３）の角又は突起の周りに巻き付けられる。
2007538417.tif 000002
【特許請求の範囲】
【請求項１】
平坦な、長方形又は多角形の構造部分として形成された巻線本体部を備えた誘導性小型構造部品、特にアンテナであって、この巻線本体部上には、三つのコイル巻線が、これらのコイル巻線の軸がそれぞれ互いに直交する方向を向く三つの空間方向（Ｘ，Ｙ，Ｚ）を指し示す形で取り付けられており、その場合に、第一と第二のコイル巻線は、巻線本体部の中央面内に有る互いに直交する二つの方向である巻線本体の縦方向と横方向に関して、巻線本体の周りに巻き付けられており、第三のコイル巻線は、巻線本体部の狭い側面側に沿って、巻線本体部の周囲をぐるりと回る形で、その周りに巻き付けられており、そして、この巻線本体部は、少なくとも部分的にフェライト材料から構成されており、その下側には、第三のコイル巻線をその側面上に引き回すための案内部材を有する誘導性小型構造部品において、
ａ）巻線本体部（１，１１）が、その上側に、第三のコイル巻線（２Ｚ）をその別の側に引き回すための案  内部材（１．５〜１．８，１１．５〜１１．８）を有する特徴と、
ｂ）巻線本体部（１）の上側の案内部材（１．５〜１．８）が、フェライト材料から構成されるとともに、  フェライト材料から成る巻線本体部（１）と一体的に連結されている特徴と、
ｃ）巻線本体部（１）が、電気を通さない非強磁性の材料から成るコイル板（３）上に載せられて、このコ  イル板と連結される特徴と、
ｄ）コイル板（３）が、その厚さに渡って拡がる切り欠き（３．１〜３．４）を有し、その内側の輪郭及び  配置が、巻線本体部（１）の下側に配置された案内部材（１．１〜１．４）の外側の輪郭及び配置と符合  し、巻線本体部（１）は、その下側に配置された案内部材（１．１〜１．４）がコイル板（３）の切り欠  き（３．１〜３．４）内に嵌合する形で、コイル板（３）上に載せられる特徴と、
ｅ）第一と第二のコイル巻線（２Ｘ，２Ｙ）の巻線端部（２．１Ｘ，２．１Ｙ）が、それぞれ巻線本体部（  １）の下側に配置された案内部材（１．１〜１．４）の周りに巻き付けられる特徴と、
ｆ）第三のコイル巻線（２Ｚ）の巻線端部（２．１Ｚ）が、それぞれコイル板の角又は突起（３．５，３．  ６）の周りに巻き付けられる特徴と、
によって特徴付けられる誘導性小型構造部品。
【請求項２】
巻線本体部（１）の下側に配置された案内部材（１．１〜１．４）が、フェライト材料から構成されるとともに、巻線本体部（１）と一体的に連結されていることを特徴とする請求項１に記載の誘導性小型構造部品。
【請求項３】
巻線本体部（１）の下側に配置された案内部材（６．１，６．２）が、プラスチックから構成されることを特徴とする請求項１に記載の誘導性小型構造部品。
【請求項４】
巻線本体部（１１）の下側に配置された案内部材（６．１，６．２）が、個々に、或いは対を成してプラスチック部分（６）に統合されており、このプラスチック部分が、少なくとも一つの上方を向いたピン（７．１，７．２）を備えており、このピンは、巻線本体部（１１）の下側に有る、このピンに対応する穴（５．１〜５．４）に差し込まれることを特徴とする請求項３に記載の誘導性小型構造部品。
【請求項５】
案内部材（１．１〜１．４又は１．５〜１．８）は、巻線本体部（１）の周囲から外側に突き出るとともに、巻線本体部（１）の上側の案内部材（１．５〜１．８）が、それぞれ巻線本体部の周囲方向に対して、ほぼ巻線本体部の角の前に配置される一方、それに対応する巻線本体部（１）の下側の案内部材（１．１〜１．４）が、当該の角の後に配置される形に配置されていることを特徴とする請求項１から４までのいずれか一つに記載の誘導性小型構造部品。
【請求項６】
案内部材（１１．１〜１１．４又は１１．５〜１１．８）が、巻線本体部（１１）の周囲から外側に突き出ており、巻線本体部（１１）の下側の案内部材（１１．１〜１１．４）が、巻線本体部（１１）の互いに逆の方向を向いた二つの側面上に対を成して配置されていることを特徴とする請求項１から４までのいずれか一つに記載の誘導性小型構造部品。
【請求項７】
コイル板（３，１３）の厚さが、巻線本体部（１，１１）の下側の案内部材の厚さと一致することを特徴とする請求項１から６までのいずれか一つに記載の誘導性小型構造部品。
【請求項８】
コイル板（３，１３）の切り欠き（３．１〜３．４，１３．１〜１３．４）が、コイル板の周縁部の方に向かって開いていることを特徴とする請求項１から７までのいずれか一つに記載の誘導性小型構造部品。
【請求項９】
コイル板（３，１３）の切り欠き（３．１〜３．４，１３．１〜１３．４）の内側の周縁部とこの周縁部に隣接する、コイル板（３，１３）の底部と狭い側面側の両方又は一方の上の所定の幅の部分とが、金属性の被膜（４．１〜４．４）を備えていることを特徴とする請求項１から８までのいずれか一つに記載の誘導性小型構造部品。
【請求項１０】
第三のコイル巻線（２Ｚ）の巻線端部（２．１Ｚ）を周りに巻き付けた、コイル板（３）の角又は突起（３．５，３．６）が、狭い側面側と底部の所定の幅の隣接する部分の両方又は一方に、金属性の被膜（４．５，４．６）を備えていることを特徴とする請求項１から９までのいずれか一つに記載の誘導性小型構造部品。
【請求項１１】
巻線本体部（１）の底部に配置された案内部材（１．１〜１．４）が、外側を向いたフック形状の脚部として形成されていることを特徴とする請求項１から１０までのいずれか一つに記載の誘導性小型構造部品。
【請求項１２】
巻線本体部（１）の上側の案内部材（１．５〜１．８）が、それぞれその長手方向に対して交差する、隣接する角を越えて延びる突起を備えていることを特徴とする請求項５又は１０に記載の誘導性小型構造部品。
【請求項１３】
請求項２，９，１０の中のいずれか一つに記載の誘導性小型構造部品の製造方法において、
ａ）上側と下側に案内部材を一体的に配置した、フェライト材料から成る巻線本体部を準備する工程と、
ｂ）巻線本体部の中央面内に有る、互いに直交する二つの方向に関して、第一と第二のコイル巻線を巻線本  体部に巻き付ける工程と、
ｃ）取り付けたコイル巻線の巻線端部を巻線本体部の下側の案内部材に巻き付ける工程と、
ｄ）巻線本体部の下側の所定の位置に接着剤を塗布する工程と、
ｅ）巻線本体部の下側の案内部材に符合する切り欠きを備えたコイル板を準備する工程と、
ｆ）巻線本体部とコイル板を組み合わせる工程と、
ｇ）巻線本体部の上側の案内部材と巻線本体部の下側又はコイル板の表面の案内部材との間の空間内に有る  巻線本体部の狭い側面側に沿って第三のコイル巻線を巻き付ける工程と、
ｈ）第三のコイル巻線の巻線端部をコイル板の角又は突起に巻き付ける工程と、
ｉ）半田付けによって、コイル巻線の巻線端部をコイル板の金属性被膜と連結する工程と、
ｊ）構造部品を取り出して、測定及び梱包する工程と、
の自動的に進行する方法における工程を特徴とする製造方法。
【請求項１４】
請求項３又は４の特徴と請求項９又は１０の特徴とを組み合わせた特徴を持つ誘導性小型構造部品の製造方法において、
ａ）上側に案内部材を一体的に配置した、フェライト材料から成る巻線本体部を準備する工程と、
ｂ）巻線本体部の下側の所定の範囲に接着剤を塗布する工程と、
ｃ）プラスチックから成る案内部材を準備して、これらの案内部材を巻線本体部の下側に固定する工程と、
ｄ）巻線本体部の中央面内に有る、互いに直交する二つの方向に関して、第一と第二のコイル巻線を巻線本  体部に巻き付ける工程と、
ｅ）取り付けたコイル巻線の巻線端部を巻線本体部の下側の案内部材に巻き付ける工程と、
ｆ）巻線本体部の下側の所定の位置に接着剤を塗布する工程と、
ｇ）巻線本体部の下側の案内部材に符合する切り欠きを備えたコイル板を準備する工程と、
ｈ）巻線本体部とコイル板を組み合わせる工程と、
ｉ）巻線本体部の上側の案内部材と巻線本体部の下側又はコイル板の表面の案内部材との間の空間内に有る  巻線本体部の狭い側面側に沿って第三のコイル巻線を巻き付ける工程と、
ｊ）第三のコイル巻線の巻線端部をコイル板の角又は突起に巻き付ける工程と、
ｋ）半田付けによって、コイル巻線の巻線端部をコイル板の金属性被膜と連結する工程と、
ｌ）構造部品を取り出して、測定及び梱包する工程と、
の自動的に進行する方法における工程を特徴とする製造方法。
【発明の詳細な説明】
【技術分野】
【０００１】
この発明は、平坦な、長方形又は多角形の構造部分として形成された巻線本体部を備えた誘導性小型構造部品、特にアンテナであって、この巻線本体部上には、三つのコイル巻線が、これらのコイル巻線の軸がそれぞれ互いに直交する方向を向く三つの空間方向（Ｘ，Ｙ，Ｚ）を指し示す形で取り付けられており、その場合に、第一と第二のコイル巻線は、巻線本体部の中央面内に有る互いに直交する二つの方向である巻線本体の縦方向と横方向に関して、巻線本体の周りに巻き付けられており、第三のコイル巻線は、巻線本体部の狭い側面側に沿って、巻線本体部の周囲をぐるりと回る形で、その周りに巻き付けられており、そして、この巻線本体部は、少なくとも部分的にフェライト材料から構成されており、その下側には、第三のコイル巻線をその側面上に引き回すための案内部材を有する誘導性小型構造部品に関する。
【背景技術】
【０００２】
このような構造部品は、基本的に周知である。これらの部品は、例えば、自動車用のキーレス開閉システムや無線を使用するリモート制御用機器におけるアンテナとして使用することができる。
【０００３】
この種の従来から周知の構造部品は、製造方法の個々の工程、特に、第三のコイル巻線の取り付けを手で行わなければならないことによる製造の難しさが有った。
【発明の開示】
【発明が解決しようとする課題】
【０００４】
この発明の課題は、最初に述べた特徴を持つ誘導性小型構造部品、特に、アンテナを、全自動による、負担の少ない製造を可能としつつも、第三のコイル巻線の確実な着座を保証する形で構成することである。
【課題を解決するための手段】
【０００５】
この課題の解決策は、この発明にもとづき、請求項１の特徴部に挙げられている通り、以下の特徴によって実現される。
ａ）巻線本体部は、その上側に、第三のコイル巻線をその別の側に引き回すための案内部  材を有する特徴と、
ｂ）巻線本体部の上側に有る、これらの案内部材が、フェライト材料から構成されるとと  もに、フェライト材料から成る巻線本体部と一体的に連結されている特徴と、
ｃ）巻線本体部が、電気を通さない非強磁性の材料から成るコイル板上に載せられて、こ  のコイル板と連結される特徴と、
ｄ）このコイル板が、その厚さに渡って拡がる切り欠きを有し、これらの切り欠きの内側  の輪郭及び配置が、巻線本体部の下側に配置された案内部材の外側の輪郭及び配置と符  合し、巻線本体部は、その下側に配置された案内部材がコイル板の切り欠き内に嵌合す  る形で、コイル板上に載せられる特徴と、
ｅ）第一と第二のコイル巻線の巻線端部が、それぞれ巻線本体部の下側に配置された案内  部材の周りに巻き付けられる特徴と、
ｆ）第三のコイル巻線の巻線端部が、それぞれコイル板の角又は突起の周りに巻き付けら  れる特徴。
【０００６】
この発明による構造部品の有利な改善構成は、これ以降において、並びに装置に関する従属請求項に記載されている。この発明による構造部品を自動により製造する方法は、方法に関する請求項に記載されている。
【０００７】
この発明の基本的な考えは、この構造部品を基本的に二つの部分から構成することである、即ち、一方は、三つのコイル巻線すべてを搭載しており、特に有利な実施構成では完全にフェライト材料から構成することができる巻線本体であり、他方は、電気を通さない非強磁性の材料、特にプラスチックから成るコイル板であり、このコイル板上には、巻線本体部が、巻線本体部の下側に配置された案内部材が、これらの部材に符合するように構成された、コイル板の切り欠き内に嵌合する形で固定される。この場合、第一と第二のコイル巻線の巻線端部は、巻線本体部の下側の案内部材の周りに巻き付けられるとともに、巻線本体をコイル板上に載せた際に初めて取り付ける第三のコイル巻線の巻線端部は、それぞれコイル板の角又は突起の周りに巻き付けられる。コイル板の切り欠きの内側周縁部とそれに隣接する、コイル板の底部の部分とは、金属性の被膜を備えることができる。同様に、第三のコイル巻線の巻線端部を周りに巻き付けている、コイル板の角又は突起とそれに隣接する、コイル板の底部の部分とは、金属性の被膜を備えることができる。このようにして、コイル板の下側の接続用接点が実現され、この接点を、半田付けによって、コイル巻線の巻線端部と接続することができ、その結果コイル巻線を、それに対応して構成した基板上に載せて、その基板に固定することができる。
【０００８】
これ以降に実施例にもとづき記載する通り、この発明による誘導性小型構造部品は、相応に構成した自動機械で速くかつ少ない負担で製造することができる。
【０００９】
以下において、添付図面にもとづき、この発明による誘導性小型構造部品及びその製造方法に関する実施例を詳しく説明する。
【発明を実施するための最良の形態】
【００１０】
図１〜８に図示した誘導性小型構造部品は、平坦な、ほぼ長方形の構造部分として形成された巻線本体部１を有し、その上には、三つのコイル巻線２Ｘ，２Ｙ及び２Ｚが、これらのコイル巻線の軸が、図１と３に示した、それぞれ互いに直交する方向を向いた三つの空間方向Ｘ，Ｙ及びＺを指し示す形で取り付けられている。これらのコイル巻線は、図１と３から分かる通り、第一のコイル巻線２Ｘと第二のコイル巻線２Ｙが、巻線本体部１の中央面に対して平行に有る、互いに直交する二つの方向である巻線本体部の縦方向と横方向に関して、巻線本体部の周りに巻き付けられており、第三のコイル巻線２Ｚは、巻線本体部１の狭い側面側に沿って、巻線本体部の周囲をぐるりと回る形で、その周りに巻き付けられている。
【００１１】
巻線本体部１は、その下側に案内部材１．１〜１．４を、そしてその上側に案内部材１．５〜１．８を有する。図１〜８に図示した実施例では、巻線本体部１と巻線本体部の下側の案内部材１．１〜１．４及び巻線本体部の上側の案内部材１．５〜１．８は、フェライト材料から構成されており、互いに一体的かつ材料を均一にした形で互いに連結されている。巻線本体部１は、プラスチック材料から成るコイル板３上に載せられて、この板と連結される。コイル板３は、その厚さに渡って拡がり、その周縁部の方に対して開いた切り欠き３．１〜３．４を有する。これらの切り欠きの内側の輪郭及び配置は、巻線本体部１の底部に配置された案内部材１．１〜１．４の外側の輪郭及び配置と符合する。この構造の結果、案内部材１．１〜１．４が、コイル板の切り欠き３．１〜３．４内に嵌合する形で、巻線本体部１をコイル板３上に載せることができる。第一のコイル巻線２Ｘの巻線端部２．１Ｘは、案内部材１．１と１．３の周りに巻き付けられる一方、第二のコイル巻線２Ｙの巻線端部２．１Ｙは、案内部材１．２と１．４の周りに巻き付けられる。
【００１２】
コイル板３の厚さは、ほぼ巻線本体部１の下側の案内部材１．１〜１．４の厚さと一致する。コイル板３の切り欠き３．１〜３．４の内側の輪郭と、図５から見て取れる通り、それらに隣接する、コイル板３の底部の所定の幅の部分は、金属性の被膜を備えている。このコイル板３の底部の金属性の被膜を施された部分は、符号４．１〜４．１で表示されている。
【００１３】
第三のコイル巻線２Ｚの巻線端部２．１Ｚは、それぞれコイル板３の角の突起３．５と３．６の周りに巻き付けられる。これらのコイル板３の角の突起３．５と３．６及びこれらに隣接する底部の部分４．５と４．６は、同じく金属性の被膜を備えている。この構造の結果、コイル板３の下側に配置された金属性の被膜を備えた部分４．１〜４．６は、それぞれ半田付けによって、コイル巻線２Ｘ，２Ｙ及び２Ｚの巻線端部の中の一つと電気的に接続することができ、そのためこれらのコイル巻線の接続用接点となる。従って、この構造部品は、コイル板３の下側を取り付けることによって、それに対応して構成された基板上に載せて、その基板と接続することができる。
【００１４】
図１と３及びこれ以降に説明する図１９Ａ〜１９Ｅから見て取ることができる通り、第三のコイル巻線２Ｚは、その上側を案内部材１．５〜１．８に沿って、そしてその下側を一方では案内部材１．１〜１．４に沿って、他方ではコイル板３の上側の表面に沿って引き回されている。こうすることによって、第三のコイル巻線２Ｚの確実な着座が保証される。
【００１５】
図１〜８と図１８及び１９に図示した実施例では、案内部材は、これらの部材が、それぞれ外側に突き出るとともに、例えば、図７の案内部材１．５のように、巻線本体部１の上側では、巻線本体部１の周囲方向に見て、ほぼ巻線本体部１の角の前に配置される一方、巻線本体１の下側の対応する案内部材、例えば、案内部材１．１が、それぞれ当該の角の後に配置される形で巻線本体部１上に配置されている。この場合、巻線本体部１の上側に配置された案内部材１．５〜１．８は、それぞれその縦方向に対して交差する、隣接する角を越えて延びる突起を有する一方、巻線本体部１の底部に配置された案内部材１．１〜１．４は、フック形状の、外側を向いた脚部として形成されている。
【００１６】
この図１８からも良く見て取れる構造は、このようにすることで、アンダーカットが回避されるので、関連するダイカスト部分としての案内部材を備えた巻線本体部１の製造を容易にする。
【００１７】
図９〜１５は、巻線本体部の別の実施構成を図示しており、そこでは、確かに巻線本体１１自身とその上側に配置された案内部材１１．５〜１１．８は、フェライト材料から構成されるとともに、一体的に互いに連結されているが、それに対して、巻線本体１１の底部の案内部材は、本体部と一体的には連結されていない。むしろ、それらは、プラスチックから作られており、巻線本体部１１の下側に差し込まれて、本体部と固く連結される。
【００１８】
そのために、これらの案内部材６．１と６．２は、対を成してプラスチック部分６に統合されており、このプラスチック部分は、組み込んだ状態では巻線本体部１１の内側の方向を向く突起６．３と６．４の上に、ピン７．１と７．２を配備しており、これらのピンは、巻線本体部１１の下側に配置された対応する穴５．１〜５．４に差し込むことが可能である。ここで、相応に接着剤を配備することによって、固い連結が保証される。各巻線本体部１１に対して、図１２〜１５に図示したプラスチック部分６の中の二つが必要であり、その結果それらを下側に差し込んで固定した後では、それぞれ案内部材６．１と６．２が、全部で四つ配置されることとなる。そして、これらの案内部材は、図１６と１７に図示したコイル板１３に嵌め込むことができる。このようにして、巻線本体部１１の二つの互いに逆方向を向いて対を成して外側に突き出た、巻線本体部１１の下側の案内部材の配置に対応して、コイル板１３の切り欠き１３．１〜１３．４も、二つの互いに逆方向を向いて外側に開いた形で配置される。図１７から見て取れる通り、切り欠き１３．１〜１３．４の内側の輪郭に金属性の被膜を有する、このコイル板１３においても、これらの切り欠き１３．１〜１３．４の下側と隣接する、コイル板１３の底部の部分１４．１〜１４．４は、そのような金属性の被膜を備えており、同様に、角の突起１３．５と１３．６も、底部領域に金属性の被膜の部分１４．５と１４．６を備えている。
【００１９】
図９〜１７に図示した部分から成る誘導性小型構造部品を製造する場合、巻線本体部１３は、図１〜３にもとづき説明した通り、同じ手法で三つのコイル巻線を配備される。
【００２０】
第一と第二のコイル巻線の巻線端部は、又もや巻線本体部１１の下側の案内部材の周りに巻き付けれる一方、第三のコイル巻線の巻線端部は、角の突起１３．５と１３．６の周りに巻き付けられる。そして、既に述べた手法により、これらの巻線端部は、コイル板１３の底部に配置された金属被膜された部分１４．１〜１４．６を電気的に接触させて、そのようにして構造部品の接続用接点が形成される。
【００２１】
以下においては、一方では図１〜８による、他方では図９〜１７による誘導性小型構造部品を、相応に構成した自動生産機械で製造することを可能とする方法を記述する。
【００２２】
図１〜８による構造部分の製造に際して、以下の方法における工程が、自動的に進行する。
ａ）上側と下側に案内部材を一体的に配置した、フェライト材料から成る巻線本体部を準  備する工程、
ｂ）巻線本体部の中央面内に有る互いに直交する二つの方向に関して、第一と第二のコイ  ル巻線を巻線本体部に巻き付ける工程、
ｃ）取り付けたコイル巻線の巻線端部を巻線本体部の下側の案内部材に巻き付ける工程、
ｄ）巻線本体部の下側の所定の位置に接着剤を塗布する工程、
ｅ）巻線本体部の下側の案内部材に符合する切り欠きを備えたコイル板を準備する工程、
ｆ）巻線本体部とコイル板を組み合わせる工程、
ｇ）巻線本体部の上側の案内部材と巻線本体部の下側又はコイル板の表面の案内部材との  間の空間内に有る巻線本体部の狭い側面側に沿って第三のコイル巻線を巻き付ける工程  、
ｈ）第三のコイル巻線の巻線端部をコイル板の角又は突起に巻き付けて、これらの巻線端  部に錫鍍金する工程、
ｉ）半田付けによって、コイル巻線の巻線端部をコイル板の金属性被膜と連結する工程、
ｊ）構造部品を取り出して、測定及び梱包する工程。
【００２３】
この方法の進行は、図１９Ａ〜１９Ｅに模式的に図示されている。
【００２４】
図９〜１７による誘導性小型構造部品の製造では、以下の方法における工程が自動的に進行する方法を用いることができる。
ａ）上側に案内部材を一体的に配置した、フェライト材料から成る巻線本体部を準備する  工程、
ｂ）巻線本体部の下側の所定の範囲に接着剤を塗布する工程、
ｃ）プラスチックから成る案内部材を準備して、これらの案内部材を巻線本体部の下側に  固定する工程、
ｄ）巻線本体部の中央面内に有る互いに直交する二つの方向に関して、第一と第二のコイ  ル巻線を巻線本体部に巻き付ける工程、
ｅ）取り付けたコイル巻線の巻線端部を巻線本体部の下側の案内部材に巻き付ける工程、
ｆ）巻線本体部の下側の所定の位置に接着剤を塗布する工程、
ｇ）巻線本体部の下側の案内部材に符合する切り欠きを備えたコイル板を準備する工程、
ｈ）巻線本体部とコイル板を組み合わせる工程、
ｉ）巻線本体部の上側の案内部材と巻線本体部の下側又はコイル板の表面の案内部材との  間の空間内に有る巻線本体部の狭い側面側に沿って第三のコイル巻線を巻き付ける工程  、
ｊ）第三のコイル巻線の巻線端部をコイル板の角又は突起に巻き付ける工程、
ｋ）半田付けによって、コイル巻線の巻線端部をコイル板の金属性被膜と連結する工程、
ｌ）構造部品を取り出して、測定及び梱包する工程。
【図面の簡単な説明】
【００２５】
【図１】３次元アンテナとして構成された誘導性小型構造部品の上側平面図
【図２】図１の構造部品の下側平面図
【図３】図１と２の構造部品の狭い側面側平面図
【図４】図１〜３の構造部品用コイル板の上側平面図
【図５】図４のコイル板の下側平面図
【図６】図１〜３の構造部品の巻線本体部の下側平面図
【図７】図６の巻線本体部の上側平面図
【図８】図６と７の巻線本体部の狭い側面側平面図
【図９】図１〜３の構造部品用巻線本体部の別の実施構成に関する図１１のＩＸ−ＩＸ線における部分的な断面の側面図
【図１０】図９の巻線本体部のＸ−Ｘ線における部分的な断面の側面図
【図１１】図９と１０の巻線本体部の下からの平面図
【図１２】図９〜１１の巻線本体部に固定する、案内部材を備えたプラスチック部分の広い側面側平面図
【図１３】図１２のプラスチック部分の上からの平面図
【図１４】図１２と１３のプラスチック部分の下からの平面図
【図１５】図１２〜１４のプラスチック部分の狭い側面側平面図
【図１６】コイル板の別の実施構成の上からの平面図
【図１７】図１６のコイル板の下からの平面図
【図１８】コイル巻線の無い状態における図４〜８の巻線本体部とコイル板の斜視分解図
【図１９】図１〜８の構造部品の製造フェーズ
【図１】
2007538417.tif 000003
【図２】
2007538417.tif 000004
【図３】
2007538417.tif 000005
【図４】
2007538417.tif 000006
【図５】
2007538417.tif 000007
【図６】
2007538417.tif 000008
【図７】
2007538417.tif 000009
【図８】
2007538417.tif 000010
【図９】
2007538417.tif 000011
【図１０】
2007538417.tif 000012
【図１１】
2007538417.tif 000013
【図１２】
2007538417.tif 000014
【図１３】
2007538417.tif 000015
【図１４】
2007538417.tif 000016
【図１５】
2007538417.tif 000017
【図１６】
2007538417.tif 000018
【図１７】
2007538417.tif 000019
【図１８】
2007538417.tif 000020
【図１９】
2007538417.tif 000021
【国際調査報告】
2007538417.tif 000022
2007538417.tif 000023
2007538417.tif 000024
2007538417.tif 000025